(57)【要約】【課題】袋状容器の装着作業を簡単に行うこと。【解決手段】外装容器１は、スパウト２２を有する袋状容器２０を収容して自立させるための外装容器であって、袋状容器２０を収容する収容空間ＡＳが形成された収容部２を備え、収容部２には、袋状容器２０を挿入するための挿入用開口部であるとともにスパウト２２を露出させるためのスパウト用開口部である開口部９が形成され、収容部２に収容した袋状容器２０が収容部２から脱落することを防止する脱落防止部１０が一体的に設けられている。【選択図】図１
2015202870.tif 000002
【特許請求の範囲】
【請求項１】
スパウトを有する袋状容器を収容して自立させるための外装容器であって、
前記袋状容器を収容する収容空間が形成された収容部を備え、
前記収容部には、
前記袋状容器を挿入するための挿入用開口部と、前記スパウトを露出させるためのスパウト用開口部とが形成され、
前記収容部に収容した前記袋状容器が前記収容部から脱落することを防止する脱落防止部が一体的に設けられている外装容器。
【請求項２】
前記脱落防止部は、前記収容部から前記収容空間側に突出している、請求項１記載の外装容器。
【請求項３】
前記脱落防止部は、前記袋状容器の挿入方向に交差する方向に延びる折り線に沿って屈曲する断面Ｕ字状に形成されて、両端が前記収容部に接続されている、請求項２記載の外装容器。
【請求項４】
前記脱落防止部は、前記収容部に固着されている請求項１〜３のいずれか一項記載の外装容器。
【請求項５】
前記収容部は、対向する一対の側面部を有し、前記一対の側面部間に前記収容空間が形成されており、
前記脱落防止部は、第１の脱落防止部と第２の脱落防止部とを有し、
前記第１の脱落防止部及び前記第２の脱落防止部は、前記側面部に設けられている請求項１〜４のいずれか一項記載の外装容器。
【請求項６】
前記挿入用開口部と前記スパウト用開口部とは同一の開口部であり、
前記第１の脱落防止部は前記一対の側面部のうち一方の前記側面部の前記開口部付近に設けられており、前記第２の脱落防止部は前記一対の側面部のうち他方の前記側面部の前記開口部付近に設けられている、請求項５記載の外装容器。
【請求項７】
前記挿入用開口部と前記スパウト用開口部とは異なる開口部であり、
前記第１の脱落防止部及び前記第２の脱落防止部は、何れも前記一対の側面部のうち一方の前記側面部の前記挿入用開口部付近に設けられている、請求項５記載の外装容器。
【請求項８】
請求項１〜７の何れか一項記載の外装容器と、
対象物を収容する前記袋状容器と、を備える充填容器。
【発明の詳細な説明】
【技術分野】
【０００１】
本発明は、スパウトを有する袋状容器を収容して自立させるための外装容器及び充填容器に関する。
【背景技術】
【０００２】
従来から、食品や洗剤等の液体や粉体等を収容するパウチ容器等の袋状容器を自立させる外装容器が知られている。特開２００２−２５５２４０号公報には、箱状の外装容器が記載されている。この外装容器は、底部に袋状容器を挿入するための挿入用開口部が形成されており、頂部にスパウトを露出させるための露出用開口部が形成されている。この外装容器は、頂部に対してスライド移動可能となっている保持体が外装容器とは別体で設けられており、この保持体を用いて、露出した状態のスパウトを保持することが可能となっている。
【先行技術文献】
【特許文献】
【０００３】
【特許文献１】特開２００２−２５５２４０号公報
【発明の概要】
【発明が解決しようとする課題】
【０００４】
上述した外装容器では、スパウトを有する袋状容器を外装容器の下から挿入し、スパウトを露出用開口部から露出させた状態で、外装容器とは別体で設けられた保持体をスライド移動させることによって、スパウトを保持し袋状容器が外装容器から脱落することを防止することができる。しかしながら、スパウトを露出用開口部から露出させた状態で保持体をスライド移動させる作業が必要となるため、袋状容器の装着を簡単に行うことができなかった。
【０００５】
本発明は、このような問題に鑑みてなされたものであり、袋状容器の装着作業を簡単に行うことができる外装容器及び充填容器を提供することを目的とする。
【課題を解決するための手段】
【０００６】
本発明に係る外装容器は、スパウトを有する袋状容器を収容して自立させるための外装容器であって、袋状容器を収容する収容空間が形成された収容部を備え、収容部には、袋状容器を挿入するための挿入用開口部と、スパウトを露出させるためのスパウト用開口部とが形成され、収容部に収容した袋状容器が収容部から脱落することを防止する脱落防止部が一体的に設けられている。
【０００７】
本発明に係る外装容器では、挿入用開口部とスパウト用開口部とが収容部に形成されるとともに、脱落防止部が収容部に一体的に設けられている。そのため、挿入用開口部から挿入された袋状容器は、スパウト用開口部からスパウトを露出させた状態で、脱落防止部によって収容部からの脱落が防止される。脱落防止部が収容部に一体的に設けられていることから、単に袋状容器を挿入用開口部から挿入することのみによって、袋状容器の収容部からの脱落を防止することができる。以上より、本発明に係る外装容器によれば、袋状容器の装着作業を簡単に行うことができる。
【０００８】
また、脱落防止部は、収容部から収容空間側に突出している。脱落防止部が収容空間側に突出していることにより、収容空間に収容された袋状容器が脱落することを効果的に防止することができる。
【０００９】
また、脱落防止部は、袋状容器の挿入方向に交差する方向に延びる折り線に沿って屈曲する断面Ｕ字状に形成されて、両端が収容部に接続されている。このように脱落防止部を形成することにより、袋状容器の挿入方向における脱落防止部の変形を許容しつつ、脱落防止部の剛性を高めることができる。これにより、袋状容器の挿入を可能としつつ、袋状容器の脱落を効果的に防止することができる。
【００１０】
また、脱落防止部は、収容部に固着されている。脱落防止部が収容部に固着されていることにより、脱落防止部による袋状容器の脱落防止効果を向上させることができる。
【００１１】
また、収容部は、対向する一対の側面部を有し、一対の側面部間に収容空間が形成されており、脱落防止部は、第１の脱落防止部と第２の脱落防止部とを有し、第１の脱落防止部及び第２の脱落防止部は、側面部に設けられている。収容空間を形成する側面部に第１の脱落防止部及び第２の脱落防止部が設けられていることにより、脱落防止部によって袋状容器が直接支持されることとなる。このことで、脱落防止部による袋状容器の脱落防止効果を向上させることができる。
【００１２】
また、挿入用開口部とスパウト用開口部とは同一の開口部であり、第１の脱落防止部は一対の側面部のうち一方の側面部の開口部付近に設けられており、第２の脱落防止部は一対の側面部のうち他方の側面部の開口部付近に設けられている。対向する側面部の開口部付近それぞれに脱落防止部が設けられていることにより、対向する側面部の両側から袋状容器の脱落を防止することができる。このことで、脱落防止部による袋状容器の脱落防止効果を向上させることができる。
【００１３】
また、挿入用開口部とスパウト用開口部とは異なる開口部であり、第１の脱落防止部及び第２の脱落防止部は、何れも一対の側面部のうち一方の側面部の挿入用開口部付近に設けられている。対向する側面部のうち一方の側面部の挿入用開口部付近に脱落防止部が設けられることにより、脱落防止部が設けられた側面部が一方の側面部に限定される。このことで、袋状容器の挿入作業を容易化することができる。
【００１４】
本発明に係る充填容器は、上述した外装容器と、対象物を収容する袋状容器とを備えている。
【発明の効果】
【００１５】
本発明によれば、袋状容器の装着作業を簡単に行うことができる。
【図面の簡単な説明】
【００１６】
【図１】第１実施形態に係る液体用容器の斜視図である。
【図２】第１実施形態に係る外装容器の正面図である。
【図３】第１実施形態に係る外装容器の平面図である。
【図４】第１実施形態に係る外装容器の展開図である。
【図５】脱落防止部を拡大させた斜視図である。
【図６】第１実施形態に係る外装容器の使用状態を説明するための図であり、図６（ａ）は挿入作業時の使用状態を、図６（ｂ）はスパウト支持時の使用状態を、それぞれ説明するための図である。
【図７】第１実施形態に係る外装容器の底面図である。
【図８】第１実施形態に係る外装容器の底面部を示す断面図である。
【図９】第２実施形態に係る液体用容器の斜視図である。
【図１０】第２実施形態に係る外装容器の正面図である。
【図１１】第２実施形態に係る外装容器の平面図である。
【図１２】第２実施形態に係る外装容器の底面図である。
【図１３】第２実施形態に係る外装容器の展開図である。
【図１４】脱落防止部を拡大させた斜視図である。
【図１５】第２実施形態に係る外装容器の使用状態を説明するための図であり、図１５（ａ）は挿入作業時の使用状態を、図１５（ｂ）は挿入作業後の使用状態を、それぞれ説明するための図である。
【発明を実施するための形態】
【００１７】
以下、図面を参照しつつ、本発明に係る外装容器及び充填容器の実施形態について詳細に説明する。
【００１８】
［第１実施形態］
まず、図１を参照して、第１実施形態に係る液体用容器（充填容器）１００について説明する。図１に示されるように、液体用容器１００は、調味料や洗剤等の液体（対象物）を収容可能なパウチ状の袋状容器２０と、袋状容器２０を収容して袋状容器２０を自立させる外装容器１とを備えている。なお、以下の説明で用いる「上」「下」の語は、図１に示されるように外装容器１が立った状態における上下方向に対応するものである。
【００１９】
袋状容器２０は、液体を収容する袋体２１と、袋体２１の内部の液体を吐出させるためのスパウト２２とを備えている。袋体２１は、可撓性材料で構成され、その周縁部がヒートシールされている。袋体２１は、内部に収容された液体の量に応じて膨張又は縮小する。スパウト２２は、袋体２１を構成するシートの内面にヒートシール可能な合成樹脂、例えばポリエチレン等により構成されている。スパウト２２は、袋体２１に固着されて袋体２１の内外を貫通する貫通穴が形成されたスパウト本体部２２ａと、回転することによってスパウト本体部２２ａに対して着脱自在となっている蓋部２２ｂとを備えている。
【００２０】
スパウト本体部２２ａは、袋体２１の開口２１ａに固着された固着部２２ｃと、固着部２２ｃから上方に延びる延在部２２ｄと、延在部２２ｄの上端から上方に延びるおねじ部（図示せず）とを有している。蓋部２２ｂの内周面には、おねじ部とかみ合うめねじが形成されている。
【００２１】
図２及び図３も参照しながら、外装容器１の詳細について説明する。外装容器１は、袋状容器２０を収容する収容空間ＡＳが形成された収容部２を備えている。収容部２は、対向する一対の側面部３，４を有している。側面部３，４は、上下に長い矩形に形成されている。側面部３及び側面部４の形状は略同一である。側面部３及び側面部４は、上下方向に直線状に延びる連結部５０を介して互いに接続されている。側面部３及び側面部４間の距離は、側面部３，４の短手方向中央に近づくにつれて長くなっている。つまり、外装容器１の水平断面において、側面部３と側面部４とは、短手方向中央にと近づくにつれて、互いに離れる方向に湾曲しながら膨らんでいる。一対の側面部３，４間に形成される空間が、上述した収容空間ＡＳである。
【００２２】
連結部５０は、外装容器１の厚み方向の中央で屈曲されて、幅方向の外側に突出する角部が形成されている。この角部の頂部である折り目は外装容器１の長手方向に沿って延在している。連結部５０は、側面部３の端部で屈曲され、連結部５０の中央で屈曲され、側面部４の端部で屈曲されて形成されている。このように複数回屈曲して連結部５０を形成することで、外装容器１の側部である角部を緩やかな角度とすることができる。
【００２３】
側面部３，４の材料としては、例えばＰＰ（polypropylene）、Ａ−ＰＥＴ(Amorphous-PET)、ＰＳ(polystyrene)、ＰＶＣ(polyvinyl chloride)等が挙げられる。側面部３，４の厚さは、例えば０．１〜２．０ｍｍであり、好ましくは０．２〜１．５ｍｍであり、より好ましくは０．２〜１．０ｍｍである。本実施形態では、ＰＰシートで厚み０．３ｍｍのものを使用した。収容空間ＡＳには袋状容器２０が収容され。そのため、側面部３，４の長手方向の長さは袋状容器２０の袋体２１の長手方向の長さよりも長く、側面部３，４の短手方向の長さ（幅）は袋状容器２０の袋体２１の短手方向の長さよりも長いことが好ましい。ただし、上述したように袋体２１は可撓性材料で構成され膨張又は縮小が可能であるため、側面部３，４の長手方向及び短手方向の長さが袋体２１の長手方向及び短手方向の長さよりも短い場合であっても、収容空間ＡＳに袋状容器２０を収容することが可能であればよい。
【００２４】
収容部２には、袋状容器２０を挿入するとともに、スパウト２２を露出させるための開口部９が形成されている。このため、開口部９は、挿入用開口部であるとともにスパウト用開口部である。開口部９は、収容部２の上端に形成されている。
【００２５】
収容部２には、脱落防止部１０が一体的に設けられている。一体的に設けられているとは、分離不可な状態で設けられていることをいう。すなわち、脱落防止部１０は、収容部２と同じ部材であってもよいし、収容部２と別部材であって収容部２に固着されたものであってもよい。例えば、脱落防止部１０と収容部２とを、１枚のシート材を折り曲げ及び固着することにより形成してもよいし、脱落防止部１０と収容部２とを、別のシート材を折り曲げ及び固着することにより形成してもよい。固着する方法は特に限定されず、溶着や接着材による接合等、様々な方法が考えられる。脱落防止部１０は、収容部２から収容空間ＡＳ側に突出しており、収容部２に収容した袋状容器２０の収容部２からの脱落を防止する。脱落防止部１０は、脱落防止部１１（第１の脱落防止部）と、脱落防止部１２（第２の脱落防止部）とを有している。脱落防止部１１，１２は、収容部２に対する袋状容器２０の挿入方向に交差する方向に延びる折り線（図３〜図５に示す、第１折り線１０ａ、第２折り線１０ｃ、及び第３折り線１０ｅ）に沿って屈曲する断面Ｕ字状に形成されており、その両端が収容部２に接続されている。ここで、挿入方向に交差する方向とは、挿入方向に平行な方向を除く方向であり、好ましくは挿入方向に略直交する方向である。脱落防止部１１は側面部３に設けられており、脱落防止部１２は側面部４に設けられている。より具体的には、脱落防止部１１は、側面部３の開口部９付近であって一方の連結部５０の近傍に設けられている。また、脱落防止部１２は、側面部４の開口部９付近であって他方の連結部５０（脱落防止部１１が設けられた側の連結部５０と反対側の連結部５０）の近傍に設けられている。すなわち、脱落防止部１１及び脱落防止部１２は、互いに異なる側面部に設けられるとともに、側面部３，４の短手方向において互いに反対側に設けられている。
【００２６】
脱落防止部１１の詳細について、図３〜図５を参照して説明する。脱落防止部１１は、側面部３と一枚のシート材で一体成形されている。脱落防止部１１は、第１折り線１０ａを介して側面部３と連続する上面部１０ｂと、第２折り線１０ｃを介して上面部１０ｂと連続する側面対向部１０ｄと、第３折り線１０ｅを介して側面対向部１０ｄと連続する下面部１０ｆと、第４折り線１０ｇを介して下面部１０ｆと連続する側面対向部１０ｈと、第５折り線１０ｉを介して側面対向部１０ｈと連続する固着部１０ｊとを有している。
【００２７】
脱落防止部１１は、図４の展開図において、第１折り線１０ａ、第２折り線１０ｃ、及び第３折り線１０ｅで山折りされている。また、脱落防止部１１は、図４の展開図において、第４折り線１０ｇ及び第５折り線１０ｉで谷折りされている。
【００２８】
各折り線で折り込まれた状態においては、図３に示されるように、第２折り線１０ｃ、側面対向部１０ｄ、及び第３折り線１０ｅが側面部４の内面と接するか又は近接しており、上面部１０ｂが開口部９の一部を覆っている。上面部１０ｂは、側面部３及び側面部４間の距離に応じた形状とされている。すなわち、上面部１０ｂにおける第１折り線１０ａから第２折り線１０ｃに延びる長さは、側面部３，４の短手方向中央に近づくにつれて長くなっている。
【００２９】
下面部１０ｆは、側面部４の内面と接するか又は近接している第３折り線１０ｅから側面部３に向かって延びており、側面部３，４の長手方向において上面部１０ｂと対向している。下面部１０ｆは、第３折り線１０ｅから、側面部３と近接する第４折り線１０ｇまで延びている。側面対向部１０ｈは、第４折り線１０ｇから、側面部３と接する第５折り線１０ｉまで延びている。そして、図５に示されるように、固着部１０ｊは、第５折り線１０ｉから下方に延びている。固着部１０ｊは、その全面が側面部３に接した状態で、５か所程度をスポット溶着されて側面部３に固着されている。なお、脱落防止部１２は、側面部４に設けられていることを除き、脱落防止部１１と同様であるため、説明を省略する。
【００３０】
図１に戻り、外装容器１の底部には、収容部２の底面を形成して外装容器１を自立させる底面部１３が設けられている。底面部１３は、内側に折りたたみ可能なガゼット形状に形成されている。底面部１３について、図７及び図８も参照しながら説明する。底面部１３は、側面部３の下端を構成する第１の脚部１３Ａと、側面部４の下端を構成する第２の脚部１３Ｂと、側面部３の内側で揺動する掛け止め部１３Ｃと、掛け止め部１３Ｃの下面と第２の脚部１３Ｂの内側面とに接続された折り曲げ部１３Ｄとを備えている。折り曲げ部１３Ｄは、第１の脚部１３Ａと第２の脚部１３Ｂとの間で水平方向に延びる折り曲げ線１３ａに沿って折り曲げ自在となっている。掛け止め部１３Ｃは、側面部３に接続する板状の部分であって折り曲げ部１３Ｄに形成された孔部１３Ｅに掛け止められる。
【００３１】
図８（ａ）に示されるように、側面部３と側面部４とが近接し折り曲げ部１３Ｄの折り曲げ角度θが小さい場合には、掛け止め部１３Ｃの先端１３ｂは斜め上方を向き側面部４の内面から離間している。一方、図８（ｂ）に示されるように、掛け止め部１３Ｃを押し下げて折り曲げ部１３Ｄの折り曲げ角度θを大きくすると、掛け止め部１３Ｃの先端１３ｂが斜め下方に揺動し、掛け止め部１３Ｃの先端１３ｂが折り曲げ部１３Ｄの内側面上を摺動すると共に掛け止め部１３Ｃが撓み、掛け止め部１３Ｃの先端１３ｂが孔部１３Ｅに掛け止められる。
【００３２】
このように掛け止め部１３Ｃの先端１３ｂが孔部１３Ｅに掛け止められることによって、側面部３と側面部４とが離隔した状態を維持できるので、第１の脚部１３Ａと第２の脚部１３Ｂとで外装容器１を自立させることができる。なお、底面部１３は、外装容器１の底部であるため、袋状容器２０を支持している。このため、袋状容器２０は、外装容器１の下方から脱落することがない。
【００３３】
次に、収容部２に袋状容器２０を挿入する際の外装容器１の使用状態について図６も参照しながら説明する。袋状容器２０を収容部２に挿入する際には、最初に、収容部２の幅方向両端である連結部５０を手で挟み込む等により適当な力で押圧することにより、開口部９を変形させ、袋状容器２０を入れ易い形にする。これにより、脱落防止部１１と側面部４との間、及び、脱落防止部１２と側面部３との間に、袋状容器２０を収容部２に挿入するスペースが形成される。この状態で、図６（ａ）に示されるように袋状容器２０を収容部２に挿入すると、袋体２１により脱落防止部１１，１２の上面部１０ｂが挿入方向に押圧される。これにより、脱落防止部１１，１２は、第１折り線１０ａ及び第４折り線１０ｇに沿って折りたたまれる。その結果、開口部９の開口スペースが拡大し、袋状容器２０を円滑に収容部２に収容することができる。
【００３４】
収容部２への袋状容器２０の挿入が完了すると、図６（ｂ）に示されるように、収容部２の内側に折りたたまれていた脱落防止部１１，１２の形状が挿入前の状態に戻る。
【００３５】
脱落防止部１１，１２では、第１折り線１０ａ、第２折り線１０ｃ、及び第３折り線１０ｅが、図４の展開図において各折り線で山折りされるとともに、第４折り線１０ｇ及び第５折り線１０ｉが、図４の展開図において各折り線で谷折りされていることから、上述したように、上面部１０ｂ等が収容部２の内側に折りたたまれ易い形状となっている。一方で、このような折り線が形成されていることにより、上面部１０ｂ等は、収容部２の外側に変位し難くなっている。すなわち、脱落防止部１１，１２の上面部１０ｂ等は、収容部２の内側に変位し易く外側に変位し難いという特徴を有している。
【００３６】
このような特徴を有する脱落防止部１１，１２は、開口部９からの袋状容器２０の脱落を防止することができる。例えば、収容部２に袋状容器２０が収容された状態で外装容器１が逆さにされたような場合であっても、袋状容器２０の重さ程度の力であれば、脱落防止部１１，１２は外側に変形しない。このため、脱落防止部１１，１２によって開口部９の一部が覆われている状態を維持でき、袋状容器２０が開口部９から脱落することを防止することができる。
【００３７】
次に、第１実施形態に係る外装容器１の作用効果について説明する。
【００３８】
第１実施形態に係る外装容器１では、袋状容器２０を挿入するとともにスパウト２２を露出させるための開口部９が収容部２に形成されるとともに、脱落防止部１０が収容部に一体的に設けられている。そのため、開口部９から挿入された袋状容器２０は、開口部９からスパウト２２を露出させた状態で、脱落防止部１０によって収容部２からの脱落が防止される。
【００３９】
従来、スパウト用開口部からスパウトを露出させた状態で、外装容器とは別体で設けられた保持体をスライド移動させることによって、スパウトを保持し袋状容器が外装容器から脱落することを防止する技術があった。しかしながら、保持体をスライド移動させる作業が必要となるため、袋状容器の装着を簡単に行うことができなかった。
【００４０】
この点、第１実施形態に係る外装容器１では、脱落防止部１０が収容部２に一体的に設けられていることから、単に袋状容器２０を開口部９から挿入することのみによって、袋状容器２０の収容部２からの脱落を防止することができる。
【００４１】
また、脱落防止部１０が収容部２から収容空間ＡＳ側に突出しているため、収容空間ＡＳに収容された袋状容器２０が脱落することを効果的に防止することができる。
【００４２】
また、脱落防止部１０が、収容部２に対する袋状容器２０の挿入方向に交差する方向に延びる折り線（図３〜図５に示す、第１折り線１０ａ、第２折り線１０ｃ、及び第３折り線１０ｅ）に沿って屈曲する断面Ｕ字状に形成されており、その両端が収容部２に接続されている。このように、脱落防止部１０を、折り線に沿って屈曲させたＵ字状の形状とすることにより、袋状容器２０の挿入方向における脱落防止部１０の変形を許容しつつ、脱落防止部１０の剛性を高めることができる。これにより、袋状容器２０の挿入を可能としつつ、袋状容器２０の脱落を効果的に防止することができる。
【００４３】
また、脱落防止部１０が収容部２に固着されているため、脱落防止部１０による袋状容器２０の脱落防止効果を向上させることができ、袋状容器２０を収容部２から脱落し難くすることができる。
【００４４】
また、収容部２が対向する一対の側面部３，４を有し、一対の側面部３，４間に収容空間ＡＳが形成されており、脱落防止部１０が、脱落防止部１１と脱落防止部１２とを有し、脱落防止部１１，１２が、側面部３又は側面部４に設けられていることにより、脱落防止部１１，１２によって、収容部２に収容される袋状容器２０を直接支持することができる。このことで、脱落防止部１０による袋状容器２０の脱落防止効果を向上させることができる。
【００４５】
また、脱落防止部１１が側面部３の開口部９付近に設けられており、脱落防止部１２が側面部４の開口部９付近に設けられていることにより、対向する側面部３，４の両側から袋状容器２０の脱落を防止することができる。また、上述したように脱落防止部１１，１２の上面部１０ｂ等が収容部２の外側に変形し難い特徴を有しているため、収容部２に袋状容器２０が収容された状態で外装容器１が逆さにされたような場合であっても、袋状容器２０の重さ程度の力であれば、脱落防止部１１，１２は外側に変形しない。このため、開口部９の一部が脱落防止部１１，１２で覆われた状態を維持でき、袋状容器２０が開口部９から脱落することを防止することができる。
【００４６】
また、脱落防止部１１，１２がそれぞれ側面部３，４の一方のみに設けられているため、開口部９には、袋状容器２０を収容部２に挿入するための十分な開口スペースが形成される。このことで、袋状容器２０の挿入作業性を向上させることができる。
【００４７】
［第２実施形態］
次に、図９を参照して、第２実施形態に係る液体用容器（充填容器）２００について説明する。なお、本実施形態の説明では、第１実施形態と異なる点について主に説明する。図９に示されるように、液体用容器２００は、袋状容器２０と、袋状容器２０を収容して袋状容器２０を自立させる外装容器５１とを備えている。
【００４８】
図１０〜図１３も参照しながら、外装容器５１の詳細について説明する。外装容器５１は、袋状容器２０を収容する収容空間ＡＳが形成された収容部５２を備えている。収容部５２は、対向する一対の側面部５３，５４を有している。側面部５３及び側面部５４は、上下方向に直線状に延びる連結部５９を介して互いに接続されている。
【００４９】
収容部５２には、袋状容器２０を挿入するための挿入用開口部５７と、スパウト２２を露出させるためのスパウト用開口部５８とが形成されている。第１実施形態に係る外装容器１では、１つの開口部９が挿入用開口部であるとともにスパウト用開口部であったが、第２実施形態に係る外装容器５１では、挿入用開口部５７とスパウト用開口部５８とは異なる開口部である。挿入用開口部５７は、収容部５２の下端に形成されている。スパウト用開口部５８は、収容部５２の上端に形成されている。
【００５０】
収容部５２の上端には、スパウト用開口部５８の一部を覆う覆い部７０が設けられている。覆い部７０は、収容部５２に収容した袋状容器２０が、収容部５２の上端（スパウト用開口部５８）から収容部５２の外へ抜け出ることを防止する。覆い部７０は、覆い部７１と覆い部７２とを有している。覆い部７１は、スパウト用開口部５８近傍であって側面部５３，５４の一方の側辺である一方の連結部５９の近傍に設けられている。覆い部７２は、スパウト用開口部５８近傍であって側面部５３，５４の他方の側辺である他方の連結部５９（覆い部７１が設けられた側の連結部５９と反対側の連結部５９）の近傍に設けられている。
【００５１】
覆い部７１，７２は、図１３に示されるように、側面部５４と一枚のシート材により一体成形されている。覆い部７１，７２は、第１折り線７０ａを介して側面部５４と連続する上面部７０ｂと、第２折り線７０ｃを介して上面部７０ｂと連続する固着部７０ｄとを有している。覆い部７１，７２は、図１３の展開図において各折り線で山折りされる。固着部７０ｄは、側面部５３の内面に接した状態で、３か所程度をスポット溶着されて側面部５３に固着されている。固着部７０ｄが側面部５３に固着することにより、覆い部７１，７２が側面部５３及び側面部５４間に架け渡され、スパウト用開口部５８の一部が覆い部７１，７２により覆われる。
【００５２】
覆い部７１及び覆い部７２間は、スパウト用開口部５８からスパウト２２を露出させることができる程度に離間している。また、覆い部７１，７２がスパウト用開口部５８の一部を覆っているため、袋状容器２０が外装容器１の上方から脱落することが防止される。
【００５３】
図９に示されるように、収容部５２の下端には、脱落防止部６０が一体的に設けられている。脱落防止部６０は、収容部５２から収容空間側に突出しており、収容部５２に収容した袋状容器２０の収容部５２からの脱落を防止する。脱落防止部６０は、脱落防止部６１（第１の脱落防止部）と、脱落防止部６２（第２の脱落防止部）とを有している。脱落防止部６１，６２は、収容部５２に対する袋状容器２０の挿入方向に交差する方向に延びる折り線（図１２及び図１３に示す、第１折り線６０ａ、第２折り線６０ｃ、及び第３折り線６０ｅ）に沿って屈曲する断面Ｕ字状に形成されており、その両端が収容部５２に接続されている。ここで、挿入方向に交差する方向とは、挿入方向に平行な方向を除く方向であり、好ましくは挿入方向に略直交する方向である。脱落防止部６１及び脱落防止部６２は、いずれも側面部５４の挿入用開口部５７付近に設けられている。より具体的には、脱落防止部６１は、側面部５４の挿入用開口部５７付近であって一方の連結部５９の近傍に設けられている。また、脱落防止部６２は、側面部５４の挿入用開口部５７付近であって他方の連結部５９（脱落防止部６１が設けられた側の連結部５９と反対側の連結部５９）に設けられている。すなわち、脱落防止部６１及び脱落防止部６２は、互いに同一の側面部に設けられており、また、側面部５４短手方向において互いに反対側に設けられている。
【００５４】
脱落防止部６１，６２の詳細について、図１２〜図１４を参照して説明する。脱落防止部６１，６２は、側面部５４と一枚のシート材で一体成形されている。脱落防止部６１，６２は、第１折り線６０ａを介して側面部５４と連続する下面部６０ｂと、第２折り線６０ｃを介して下面部６０ｂと連続する側面対向部６０ｄと、第３折り線６０ｅを介して側面対向部６０ｄと連続する上面部６０ｆと、第４折り線６０ｇを介して上面部６０ｆと連続する側面対向部６０ｈと、第５折り線６０ｉを介して側面対向部６０ｈと連続する固着部６０ｊとを有している。
【００５５】
脱落防止部６１，６２は、図１３の展開図において、第１折り線６０ａ、第２折り線６０ｃ、及び第３折り線６０ｅで山折りされている。また、脱落防止部６１，６２は、図１３の展開図において、第４折り線６０ｇ及び第５折り線６０ｉで谷折りされている。
【００５６】
各折り線で折り込まれた状態においては、図１２に示されるように、第２折り線６０ｃ、側面対向部６０ｄ、及び第３折り線６０ｅが側面部５３の内面と接するか又は近接しており、下面部６０ｂが挿入用開口部５７の一部を覆っている。
【００５７】
上面部６０ｆは、第３折り線６０ｅから側面部５４に向かって延びており、側面部５３，５４の長手方向において下面部６０ｂと対向している。上面部６０ｆは、第３折り線６０ｅから、側面部５４と近接する第４折り線６０ｇまで延びている。側面対向部６０ｈは、第４折り線６０ｇから、側面部５４と接する第５折り線６０ｉまで延びている。そして、固着部６０ｊは、第５折り線６０ｉから上方に延びている。固着部６０ｊは、図１４に示されるように、その全面が側面部５４に接した状態で、５か所程度をスポット溶着されて側面部５４に固着されている。
【００５８】
次に、収容部５２に袋状容器２０を挿入する際の外装容器５１の使用状態について図１５も参照しながら説明する。袋状容器２０を収容部５２に挿入する際には、最初に、収容部５２の幅方向両端である連結部５９を手で挟み込む等により適当な力で押圧することにより、挿入用開口部５７を変形させ、側面部５４に設けられた脱落防止部６１，６２と、側面部５３との離間距離を長くし、袋状容器２０を入れ易い形にする。これにより、脱落防止部６１，６２と側面部５３との間に、袋状容器２０を収容部２に挿入するスペースが形成される。この状態で、図１５（ａ）に示されるように、袋状容器２０を収容部５２に挿入すると、袋体２１により脱落防止部６１，６２の下面部６０ｂが挿入方向に押圧される。袋体２１の押圧によって、脱落防止部６１，６２は、第１折り線６０ａ及び第４折り線６０ｇに沿って折りたたまれる。その結果、挿入用開口部５７の開口スペースが拡大し、袋状容器２０を円滑に収容部２に収容することができる。
【００５９】
収容部５２への袋状容器２０の挿入が完了すると、図１５（ｂ）に示されるように、収容部５２の内側に折りたたまれていた脱落防止部６１，６２の形状が挿入前の状態に戻る。なお、この状態においては、スパウト用開口部５８からスパウト２２が露出している（図９参照）。
【００６０】
袋状容器２０の外装容器５１下方からの脱落は、脱落防止部６１，６２によって防止される。すなわち、脱落防止部６１，６２は、各折り線によって、第１実施形態で説明した脱落防止部１１，１２と同様、収容部２の内側に変形しやすく外側に変形し難い特徴を有している。そのため、袋状容器２０の重さ程度の力であれば脱落防止部６１，６２は外側に変形しない。このことにより、挿入用開口部５７の一部が脱落防止部６１，６２で覆われた状態を維持でき、袋状容器２０が外装容器５１の下方、すなわち挿入用開口部５７から脱落することを防止することができる。
【００６１】
以上説明したように、第２実施形態に係る外装容器５１では、挿入用開口部５７とスパウト用開口部５８とは異なる開口部であり、脱落防止部６１及び脱落防止部６２は、何れも側面部５４の挿入用開口部５７付近に設けられている。このように、対向する側面部５３，５４のうち一方の側面部５４の挿入用開口部５７付近に脱落防止部６１，６２が設けられることにより、脱落防止部６１，６２が設けられた側面部が一方の側面部５４に限定される。このため、脱落防止部６１，６２が設けられていない側の側面部である側面部５３近傍の開口スペースを大きくすることができ、挿入作業が容易化する。
【００６２】
以上、本発明の好適な実施形態について説明したが、本発明は上記第１及び第２実施形態に限定されるものではない。例えば、脱落防止部は収容部に固着されているとして説明したが、袋状容器が収容部から脱落することを防止することができれば、必ずしも固着されていることは必要とされない。
【００６３】
また、脱落防止部が２つ設けられた例で説明したがこれに限定されず、例えば脱落防止部は１つであってもよいし、３つ以上であってもよい。また、脱落防止部は側面部に設けられているとして説明したがこれに限定されず、袋状容器が収容部から脱落することを防止することができれば、外装容器のその他の場所に設けられていてもよい。
【００６４】
また、脱落防止部は挿入用開口部の付近に設けられているとして説明したが、これに限定されず、例えば側面部の長手方向中央付近等に設けられていてもよい。
【００６５】
また、上記実施形態では、袋状容器に収容される対象物を液体とし、袋状容器を備える液体用容器（充填容器）について説明しているが、袋状容器に収容される対象物は、液体に限定されず、例えば、粉体、粒体、固体、粘性体等、その他の物でもよい。
【符号の説明】
【００６６】
１，５１…外装容器、２，５２…収容部、３，４，５３，５４…側面部、５７…挿入用開口部、５８…スパウト用開口部、９…開口部、１０，１１，１２，６０，６１，６２…脱落防止部、２０…袋状容器、２２…スパウト、１００，２００…液体用容器（充填容器）、ＡＳ…収容空間。
【図１】
2015202870.tif 000003
【図２】
2015202870.tif 000004
【図３】
2015202870.tif 000005
【図４】
2015202870.tif 000006
【図５】
2015202870.tif 000007
【図６】
2015202870.tif 000008
【図７】
2015202870.tif 000009
【図８】
2015202870.tif 000010
【図９】
2015202870.tif 000011
【図１０】
2015202870.tif 000012
【図１１】
2015202870.tif 000013
【図１２】
2015202870.tif 000014
【図１３】
2015202870.tif 000015
【図１４】
2015202870.tif 000016
【図１５】
2015202870.tif 000017